(57)【要約】【課題】ボタンの意匠にバリエーションを持たせることができるエレベータの防滴型押しボタンスイッチを提供する。【解決手段】エレベータの防滴型押しボタンスイッチは、ボタン２と、ボタン２の裏面に設けられた突起３と、ボタン２を収納するボタンケース６と、ボタン２が押されたときに突起３を挟むような位置に設けられ、光を発する発光部７および発光部７から発せられた光を受光する受光部８と、を備えている。ボタン２が押されたときに発光部７から発せられた光が突起３により遮られることによってスイッチが動作する。【選択図】図１
2009220929.tif 000002
【特許請求の範囲】
【請求項１】
エレベータの防滴型押しボタンスイッチであって、
ボタンと、
前記ボタンの裏面に設けられた突起と、
前記ボタンを収納するボタンケースと、
前記ボタンが押されたときに前記突起を挟むような位置に設けられ、光を発する発光部および前記発光部から発せられた光を受光する受光部と、
を備え、
前記ボタンが押されたときに前記発光部から発せられた光が前記突起により遮られることによってスイッチが動作することを特徴とするエレベータの防滴型押しボタンスイッチ。
【請求項２】
エレベータの防滴型押しボタンスイッチであって、
透光材からなるボタンと、
前記ボタンの裏面に設けられた、遮光材からなる裏面部材と、
前記ボタンを収納し、遮光材からなるボタンケースであって、その一部には透光材からなる窓部材が設けられたボタンケースと、
前記ボタンケースの外方において前記窓部材の近傍に設けられた受光部であって、前記ボタンが押されたときに当該ボタンおよび前記窓部材を介して外部の光を受光する受光部と、
を備え、
前記ボタンが押されたときに外部の光が前記ボタンおよび前記窓部材を介して前記受光部に到達することによってスイッチが動作することを特徴とする防滴型押しボタンスイッチ。
【請求項３】
エレベータの防滴型押しボタンスイッチであって、
ボタンと、
前記ボタンを収容するボタンケースであって、その一部に切り欠きが設けられたボタンケースと、
前記ボタンに設けられ、前記ボタンケースの切り欠きを通過して当該ボタンケースの外方に突出する突起と、
前記ボタンケースの外方に設けられ、前記ボタンが押されたときに前記突起と接触するような復帰式スイッチと、
を備え、
前記ボタンが押されたときに前記突起が前記復帰式スイッチに接触することによってスイッチが動作することを特徴とする防滴型押しボタンスイッチ。
【請求項４】
エレベータの防滴型押しボタンスイッチであって、
透光材からなるボタンと、
前記ボタンを収容し、透光材からなるボタンケースであって、その一部に切り欠きが設けられたボタンケースと、
前記ボタンに設けられ、前記ボタンケースの切り欠きを通過して当該ボタンケースの外方に突出する突起と、
前記ボタンケースの外方に設けられ、前記ボタンが押されたときに前記突起と接触するような復帰式スイッチと、
前記ボタンケースの裏面側に設けられた点灯部材と、
前記ボタンの裏面に設けられ、前記点灯部材が点灯すると透過するような印刷が施された表示部材と、
を備え、
前記ボタンが押されたときに前記突起が前記復帰式スイッチに接触することによってスイッチが動作し、前記点灯部材が点灯することを特徴とする防滴型押しボタンスイッチ。
【請求項５】
エレベータの防滴型押しボタンスイッチであって、
透光材からなるボタンと、
前記ボタンを収容するボタンケースと、
前記ボタンケースの裏面側に設けられ、電圧の変化によって前記ボタンが押されたことを検知する差動変圧器と、
を備え、
前記ボタンが押されたときにこの押圧荷重により前記ボタンケースが裏面側に押され、前記差動変圧器がこのことを電圧の変化により検知することによってスイッチが動作することを特徴とする防滴型押しボタンスイッチ。
【請求項６】
エレベータの防滴型押しボタンスイッチであって、
透光材からなるボタンと、
前記ボタンを収容し、透光材からなるボタンケースと、
前記ボタンケースの裏面側に設けられ、電圧の変化によって前記ボタンが押されたことを検知する差動変圧器と、
前記差動変圧器の裏面側に設けられた点灯部材と、
前記ボタンの裏面に設けられ、前記点灯部材が点灯すると透過するような印刷が施された表示部材と、
を備え、
前記ボタンが押されたときにこの押圧荷重により前記ボタンケースが裏面側に押され、前記差動変圧器がこのことを電圧の変化により検知することによってスイッチが動作し、前記点灯部材が点灯することを特徴とする防滴型押しボタンスイッチ。
【請求項７】
エレベータの防滴型押しボタンスイッチであって、
透光材からなるボタンと、
前記ボタンの裏面に設けられた、遮光材からなる裏面部材と、
前記ボタンを収納し、遮光材からなるボタンケースであって、その一部には透光材からなる窓部材が設けられたボタンケースと、
前記ボタンケースの外方において前記窓部材の近傍に設けられた受光部であって、前記ボタンが押されたときに当該ボタンおよび前記窓部材を介して外部の光を受光する受光部と、
前記ボタンケースの裏面側に設けられ、電圧の変化によって前記ボタンが押されたことを検知する差動変圧器と、
を備え、
前記ボタンが押されたときに、外部の光が前記ボタンおよび前記窓部材を介して前記受光部に到達することによって、または前記ボタンが押されたときの押圧荷重により前記ボタンケースが裏面側に押され、前記差動変圧器がこのことを電圧の変化により検知することによって、スイッチが動作することを特徴とする防滴型押しボタンスイッチ。
【発明の詳細な説明】
【技術分野】
【０００１】
本発明は、エレベータの防滴型押しボタンスイッチに関し、とりわけ、ボタンの意匠にバリエーションを持たせることができる防滴型押しボタンスイッチに関する。
【背景技術】
【０００２】
従来のエレベータの防滴型押しボタンスイッチについて、図９を用いて説明する。図９（ａ）は、従来のエレベータの防滴型押しボタンスイッチの正面図であり、図９（ｂ）は、図９（ａ）に示す防滴型押しボタンスイッチの側面図である。
【０００３】
従来より、エレベータの乗場側のスイッチとして防滴仕様のものはほとんど用いられない。このため、このような防滴仕様を有するスイッチの受注があった場合は、市販品の一般的な防滴機能を有する押しボタンスイッチを使用して、乗場ボタン等を製作していた。
【０００４】
図９（ａ）（ｂ）に示すように、市販品の一般的な防滴機能を有する押しボタンスイッチ２４は、熱帯地域または寒冷地域で使用可能であったり、工場等で塵が舞うような場所でも使用可能な防塵機能を有していたりするものである。
【０００５】
前述のような場所で使用に耐えうるものであるため、防滴、防塵機能を有する入力装置としては、一般的に、樹脂のカバーや取り外し可能なフタのようなものが取り付いている構造となっている。このため、ボタン部の形状が単一化され、バリエーションがないので、意匠を変更させることができなかった。
【０００６】
また、用途が限られているため、ボタンに対して、方向を示すＵＰまたはＤＯＷＮの矢印等を記載することができず、図９（ａ）（ｂ）に示すようにＵＰ、ＤＯＷＮ等を記載したプレート２５のようなものを取り付けていた。
【０００７】
なお、エレベータの乗場機器の防滴具としては、特許文献１等に示されるものが知られている。特許文献１に示すエレベータの乗場機器の防滴具は、押しボタンスイッチを取り付けているフェースプレートの上と左右にひさしのようなものを取り付けている。
【０００８】
【特許文献１】特開２０００−２５５９２６号公報
【発明の開示】
【発明が解決しようとする課題】
【０００９】
前述のように、従来のような、市販品の一般的な防滴機能を有する押しボタンスイッチは、使用用途が限られているので、樹脂のカバーや取り外し可能なフタのようなものが取り付いている構造となっている。このため、ボタンの形状が単一化され、バリエーションがなく、意匠を変更させることができないという問題があった。
【００１０】
本発明は、このような点を考慮してなされたものであり、ボタンの意匠にバリエーションを持たせることができるエレベータの防滴型押しボタンスイッチを提供することを目的とする。
【課題を解決するための手段】
【００１１】
本発明のエレベータの防滴型押しボタンスイッチは、ボタンと、前記ボタンの裏面に設けられた突起と、前記ボタンを収納するボタンケースと、前記ボタンが押されたときに前記突起を挟むような位置に設けられ、光を発する発光部および前記発光部から発せられた光を受光する受光部と、を備え、前記ボタンが押されたときに前記発光部から発せられた光が前記突起により遮られることによってスイッチが動作することを特徴とする。
【００１２】
本発明の他のエレベータの防滴型押しボタンスイッチは、透光材からなるボタンと、前記ボタンの裏面に設けられた、遮光材からなる裏面部材と、前記ボタンを収納し、遮光材からなるボタンケースであって、その一部には透光材からなる窓部材が設けられたボタンケースと、前記ボタンケースの外方において前記窓部材の近傍に設けられた受光部であって、前記ボタンが押されたときに当該ボタンおよび前記窓部材を介して外部の光を受光する受光部と、を備え、前記ボタンが押されたときに外部の光が前記ボタンおよび前記窓部材を介して前記受光部に到達することによってスイッチが動作することを特徴とする。
【００１３】
本発明の更に他のエレベータの防滴型押しボタンスイッチは、ボタンと、前記ボタンを収容するボタンケースであって、その一部に切り欠きが設けられたボタンケースと、前記ボタンに設けられ、前記ボタンケースの切り欠きを通過して当該ボタンケースの外方に突出する突起と、前記ボタンケースの外方に設けられ、前記ボタンが押されたときに前記突起と接触するような復帰式スイッチと、を備え、前記ボタンが押されたときに前記突起が前記復帰式スイッチに接触することによってスイッチが動作することを特徴とする。
【００１４】
本発明の更に他のエレベータの防滴型押しボタンスイッチは、透光材からなるボタンと、前記ボタンを収容し、透光材からなるボタンケースであって、その一部に切り欠きが設けられたボタンケースと、前記ボタンに設けられ、前記ボタンケースの切り欠きを通過して当該ボタンケースの外方に突出する突起と、前記ボタンケースの外方に設けられ、前記ボタンが押されたときに前記突起と接触するような復帰式スイッチと、前記ボタンケースの裏面側に設けられた点灯部材と、前記ボタンの裏面に設けられ、前記点灯部材が点灯すると透過するような印刷が施された表示部材と、を備え、前記ボタンが押されたときに前記突起が前記復帰式スイッチに接触することによってスイッチが動作し、前記点灯部材が点灯することを特徴とする。
【００１５】
本発明の更に他のエレベータの防滴型押しボタンスイッチは、透光材からなるボタンと、前記ボタンを収容するボタンケースと、前記ボタンケースの裏面側に設けられ、電圧の変化によって前記ボタンが押されたことを検知する差動変圧器と、を備え、前記ボタンが押されたときにこの押圧荷重により前記ボタンケースが裏面側に押され、前記差動変圧器がこのことを電圧の変化により検知することによってスイッチが動作することを特徴とする。
【００１６】
本発明の更に他のエレベータの防滴型押しボタンスイッチは、透光材からなるボタンと、前記ボタンを収容し、透光材からなるボタンケースと、前記ボタンケースの裏面側に設けられ、電圧の変化によって前記ボタンが押されたことを検知する差動変圧器と、前記差動変圧器の裏面側に設けられた点灯部材と、前記ボタンの裏面に設けられ、前記点灯部材が点灯すると透過するような印刷が施された表示部材と、を備え、前記ボタンが押されたときにこの押圧荷重により前記ボタンケースが裏面側に押され、前記差動変圧器がこのことを電圧の変化により検知することによってスイッチが動作し、前記点灯部材が点灯することを特徴とする。
【００１７】
本発明の更に他のエレベータの防滴型押しボタンスイッチは、透光材からなるボタンと、前記ボタンの裏面に設けられた、遮光材からなる裏面部材と、前記ボタンを収納し、遮光材からなるボタンケースであって、その一部には透光材からなる窓部材が設けられたボタンケースと、前記ボタンケースの外方において前記窓部材の近傍に設けられた受光部であって、前記ボタンが押されたときに当該ボタンおよび前記窓部材を介して外部の光を受光する受光部と、前記ボタンケースの裏面側に設けられ、電圧の変化によって前記ボタンが押されたことを検知する差動変圧器と、を備え、前記ボタンが押されたときに、外部の光が前記ボタンおよび前記窓部材を介して前記受光部に到達することによって、または前記ボタンが押されたときの押圧荷重により前記ボタンケースが裏面側に押され、前記差動変圧器がこのことを電圧の変化により検知することによって、スイッチが動作することを特徴とする。
【発明の効果】
【００１８】
本発明のエレベータの防滴型押しボタンスイッチによれば、ボタンの意匠にバリエーションを持たせることができる。
【発明を実施するための最良の形態】
【００１９】
以下、図面を参照して本発明の実施の形態について説明する。図１は、本実施の形態によるエレベータの防滴型押しボタンスイッチを示す図である。
具体的には、図１（ａ）は、本実施の形態によるエレベータの防滴型押しボタンスイッチの正面図であり、図１（ｂ）は、図１（ａ）に示す防滴型押しボタンスイッチのＡ−Ａライン矢視による側断面図である。
【００２０】
図１（ａ）（ｂ）に示すように、本実施の形態による防滴型押しボタンスイッチはフェースプレート１に組み込まれている。ここで、防滴型押しボタンスイッチは、遮光材からなるボタン２と、ボタン２の裏面に設けられ、遮光材からなる突起３と、ボタン２を図１（ｂ）の左右方向にストロークさせるためのバネ４と、バネ４を鉛直方向（図１（ａ）（ｂ）の上下方向）にストロークさせるためのガイド５とを備えている。フェースプレート１の裏面には、透光材からなるボタンケース６が例えばボルトやナット等で取り付けられており、ボタンケース６の上部には発光部７が取り付けられており、ボタンケース６の下部には発光部７から発せられた光を受光する受光センサ８が取り付けられている。
【００２１】
次に、このような構成からなる防滴型押しボタンスイッチの動作について説明する。
乗客が、フェースプレート１に組み込まれたボタン２を押したとき、ガイド５に沿ってバネ４が図１（ｂ）の右方向に縮む。このことにより、透光材からなるボタンケース６の上部に配置された発光部７と、ボタンケース６の下部に配置された受光センサ８との間を、ボタン２の裏面に設けられた遮光材からなる突起３が遮る。このため、ボタンケース６の下部に配置された受光センサ８が、発光部７から発せられた光を受光しなくなり、このことにより受光センサ８からＯＮ信号が発せられ、呼び登録が行われる。なお、発光部７および受光センサ８は、上下逆に配置してもよい。また、これらの発光部７および受光センサ８は突起３が進出すべき箇所の左右に配置してもよい。
【００２２】
上述のように、防滴型押しボタンスイッチは、ボタン２と、ボタン２の裏面に設けられた突起３と、ボタン２を収納するボタンケース６と、ボタン２が押されたときに突起３を挟むような位置に設けられ、光を発する発光部７および発光部７から発せられた光を受光する受光センサ８と、を備えている。そして、ボタン２が押されたときに発光部７から発せられた光が突起３により遮られることによってスイッチが動作するようになっている。このため、ボタン２の外から水が浸入してもスイッチ構成接点部まで水が入り込まないため、防滴性、防塵性に優れたものとすることができる。また、フェースプレート１とボタンケース６との間にゴムパッキン等のシール部材を挟んだ場合には更に防滴性、防塵性に優れたものとすることができる。また、ボタン２に方向を示す矢印を記載することができる。また、図１（ａ）（ｂ）ではボタン２は四角形状となっているが、丸形に変更したり、サイズを変更したりすることができるため、顧客のニーズに沿ったエレベータの防滴型押しボタンスイッチを提供することができる。
【００２３】
また、従来の一般的な防滴機能を有する押しボタンスイッチは、樹脂のカバーや取り外し可能なフタのようなものが取り付いている構造となっており、ボタンの形状が単一化され、バリエーションがなく、意匠を可変させることができないが、上述のような防滴型押しボタンスイッチによれば、ボタンの意匠にバリエーションを持たせることができる。
【００２４】
なお、本発明によるエレベータの防滴型押しボタンスイッチは、上記の態様に限定されるものではなく、様々の変更を加えることができる。
【００２５】
図２および図３を用いて、本発明によるエレベータの防滴型押しボタンスイッチの変形例について説明する。図２（ａ）は、本変形例に係るエレベータの防滴型押しボタンスイッチの正面図であり、図２（ｂ）は、図２（ａ）に示す防滴型押しボタンスイッチのＢ−Ｂライン矢視による側断面図である。また、図３は、図２（ｂ）に示す状態からボタンを押したときの状態を示す防滴型押しボタンスイッチの側断面図である。
【００２６】
図２および図３に示す防滴型押しボタンスイッチは、図１に示す防滴型押しボタンスイッチと比較して、遮光材からなるボタン２の代わりに透光材からなるボタン９を設け、この透光材からなるボタン９の裏面に、遮光材からなる裏面部材１０を設けている。また、透光材からなるボタンケース６の代わりに、遮光材からなるボタンケース１１を設けており、このボタンケース１１の上部の一部に、透光材からなる窓部材１２を設けている。そして、図１（ｂ）に示すような発光部７および受光センサ８を設ける代わりに、図２（ｂ）に示すようにボタンケース１１の上方において窓部材１２の近傍に受光センサ８を設けている。図３に示すように、ボタン９を押したときに、外部の光が参照符号１３に示すような経路を通って、透光材からなるボタン９および透光材からなる窓部材１２を介して、受光センサ８に到達するようになっている。
【００２７】
次に、このような構成からなる防滴型押しボタンスイッチの動作について説明する。
図２（ｂ）に示すように、ボタン９が押されていない状態のときは、ボタンケース１１の上部の一部に設けられた窓部材１２には、遮光材からなる裏面部材１０によって、外部から光が届かないようになっている。一方、乗客が、フェースプレート１に組み込まれたボタン９を押したとき、遮光材からなる裏面部材１０が奥側（図２（ｂ）の右側）にストロークすることにより、図３に示すように、ボタンケース１１の上部の一部に設けられた窓部材１２に外部からの光が経路１３を通って到達する。このことにより受光センサ８が光を感知して当該受光センサ８からＯＮ信号が発せられ、呼び登録が行われる。なお、この変形例に係る防滴型押しボタンスイッチにおいて、窓部材１２および受光センサ８は、ボタンケース１１の下部または左右に配置してもよい。また、ボタンケース１１の一部に窓部材１２を複数配置し、各窓部材１２に対応するよう受光センサ８を複数配置してもよい。また、バネ４はボタンケース１１の中央に配置してもよい。
【００２８】
図１に示すような防滴型押しボタンスイッチでは、発光部７は常に光を発し、この発光部７から発せられた光を受光センサ８により受光させる必要があるが、図２および図３に示すような防滴型押しボタンスイッチによれば、ボタン９の外部に光がある場所においては、常に光を発する必要があるような発光部７の設置を省略することができる。また、上述のような防滴型押しボタンスイッチでも、ボタンの意匠にバリエーションを持たせることができる。
【００２９】
次に、図４を用いて、本発明によるエレベータの防滴型押しボタンスイッチの他の変形例について説明する。図４（ａ）は、本変形例に係るエレベータの防滴型押しボタンスイッチの正面図であり、図４（ｂ）は、図４（ａ）に示す防滴型押しボタンスイッチのＣ−Ｃライン矢視による側断面図である。
【００３０】
図４に示す防滴型押しボタンスイッチは、図１に示す防滴型押しボタンスイッチと比較して、突起３、発光部７および受光センサ８を設置する代わりに、遮光材からなるボタン２の上部に突起１４を設け、透光材からなるボタンケース６の代わりに、上部に切り欠きが設けられた遮光材からなるボタンケース１５を設けている。また、ボタンケース１５の上部に復帰式スイッチ１６を配設している。
【００３１】
次に、このような構成からなる防滴型押しボタンスイッチの動作について説明する。
遮光材からなるボタン２を押したとき、このボタン２の上部に設けられた突起１４が、ボタンケース１５の上部に設けられた復帰式スイッチ１６に接触する。このことにより、復帰式スイッチ１６からＯＮ信号が発せられ、呼び登録が行われる。なお、この変形例に係る防滴型押しボタンスイッチにおいて、バネ４はボタンケース１１の中央に配置してもよい。
【００３２】
図４に示すような防滴型押しボタンスイッチによれば、機械式接点を有するような復帰式スイッチ１６を用いているため、品質上、信頼できるようなエレベータの防滴型押しボタンスイッチを提供することができる。また、上述のような防滴型押しボタンスイッチでも、ボタンの意匠にバリエーションを持たせることができる。
【００３３】
次に、図５を用いて、本発明によるエレベータの防滴型押しボタンスイッチの更に他の変形例について説明する。図５（ａ）は、本変形例に係るエレベータの防滴型押しボタンスイッチの正面図であり、図５（ｂ）は、図５（ａ）に示す防滴型押しボタンスイッチのＤ−Ｄライン矢視による側断面図である。
【００３４】
図５に示す防滴型押しボタンスイッチは、図４に示す防滴型押しボタンスイッチと比較して、遮光材からなるボタン２の代わりに透光材からなるボタン９を用い、このボタン９の裏面には、光源が点灯すると透過するような印刷を施した表示部材１７を設けている。そして、透光材からなるボタン９の周囲には遮光塗料１８を塗布している。また、遮光材からなるボタンケース１５の代わりに透光材からなるボタンケース１９を用いており、このボタンケース１９の裏側には、ＬＥＤチップを搭載したＬＥＤ基板２０を設けている。また、ボタンケース１９には切り欠き１９ａが設けられている。
【００３５】
次に、このような構成からなる防滴型押しボタンスイッチの動作について説明する。
透光材からなるボタン９を押したときに、このボタン９の上部に設けられた突起１４が、ボタンケース１９の上部に配置された復帰式スイッチ１６に接触する。このことにより、復帰式スイッチ１６からＯＮ信号が発せられ、呼び登録が行われる。また、復帰式スイッチ１６からＯＮ信号が発せられると、ボタンケース１９の裏側に配置された、ＬＥＤチップを搭載したＬＥＤ基板２０が点灯し、表示部材１７に印刷された文字等が点灯する。このとき、ボタン９の周囲には遮光塗料１８が塗布されているため、光漏れは発生しない。なお、ＬＥＤ基板２０の代わりに導光板を使用することもできる。
【００３６】
市販品の一般的な防滴機能を有する押しボタンスイッチは、点灯しないものが多い。これに対して、図５に示す防滴型押しボタンスイッチは、表示部材１７に対して光源が点灯すると透過するような印刷を施しており、透光材からなるボタンケース１９の裏面にＬＥＤ基板２０を設けているので、この表示部材１７を点灯させることができ、このことにより呼び登録を行うことができる。また、この表示部材１７に、光源が点灯すると透過するような、方向性を示す矢印を印刷した場合には、エレベータの乗客は、この表示部材１７による表示により判断することができるようになる。また、上述のような防滴型押しボタンスイッチでも、ボタンの意匠にバリエーションを持たせることができる。
【００３７】
次に、図６を用いて、本発明によるエレベータの防滴型押しボタンスイッチの更に他の変形例について説明する。図６（ａ）は、本変形例に係るエレベータの防滴型押しボタンスイッチの正面図であり、図６（ｂ）は、図６（ａ）に示す防滴型押しボタンスイッチのＥ−Ｅライン矢視による側断面図である。
【００３８】
図６に示す防滴型押しボタンスイッチは、図５に示す防滴型押しボタンスイッチと比較して、遮光材からなるボタンケース１５を設ける代わりに透光材からなる一体型のボタンケース２１を設け、また、突起１４および復帰式スイッチ１６を設ける代わりに、ボタンケース２１の背面に差動変圧器２２を設けている。また、図６に示す防滴型押しボタンスイッチは、図５に示す防滴型押しボタンスイッチと比較して、ＬＥＤ基板２０の設置を省略している。差動変圧器２２は、電圧の変化によってボタンが押されたことを検知するようになっている。また、ボタンケース２１には切り欠き２１ａが設けられている。
【００３９】
次に、このような構成からなる防滴型押しボタンスイッチの動作について説明する。
透光材からなるボタン９を押したときに、バネ４に加わった荷重がボタンケース２１を奥側（図６（ｂ）右方）に押し、差動変圧器２２にかかる電圧が変化する。そして、差動変圧器２２が電圧の変化を検知したときに、呼び登録を行わせる。
【００４０】
図６に示すような防滴型押しボタンスイッチによれば、図１乃至図５に示すような防滴型押しボタンスイッチと比較して、構成が複雑ではないため安価なものとすることができる。また、構成が複雑ではないため、品質上、信頼できるエレベータの防滴型押しボタンスイッチを提供することができる。また、上述のような防滴型押しボタンスイッチでも、ボタンの意匠にバリエーションを持たせることができる。
【００４１】
次に、図７を用いて、本発明によるエレベータの防滴型押しボタンスイッチの更に他の変形例について説明する。図７（ａ）は、本変形例に係るエレベータの防滴型押しボタンスイッチの正面図であり、図７（ｂ）は、図７（ａ）に示す防滴型押しボタンスイッチのＦ−Ｆライン矢視による側断面図である。
【００４２】
図７に示す防滴型押しボタンスイッチは、図６に示す防滴型押しボタンスイッチと比較して、差動変圧器２２を用いる代わりに、切り欠き２３ａを有する差動変圧器２３を用い、この差動変圧器２３の裏側には、ＬＥＤチップを搭載したＬＥＤ基板２０を設けている。なお、差動変圧器２３の切り欠き２３ａは、ＬＥＤ基板２０におけるＬＥＤが点灯する範囲よりも広くなっている。
【００４３】
次に、このような構成からなる防滴型押しボタンスイッチの動作について説明する。
透光材からなるボタン９を押したときに、バネ４に加わった荷重がボタンケース２１を奥側（図７（ｂ）右方）に押し、差動変圧器２３にかかる電圧が変化する。そして、差動変圧器２３が電圧の変化を検知したときに、呼び登録を行わせる。このときに、ＬＥＤチップを搭載したＬＥＤ基板２０が点灯し、表示部材１７に印刷された文字等が点灯する。この際に、ボタン９の周囲には遮光塗料１８が塗布されているため、光漏れは発生しない。なお、ＬＥＤ基板２０の代わりに導光板を使用することもできる。
【００４４】
図７に示すような防滴型押しボタンスイッチによれば、図１乃至図５に示すような防滴型押しボタンスイッチと比較して、構成が複雑ではないため安価なものとすることができる。また、構成が複雑ではないため、品質上、信頼できるエレベータの防滴型押しボタンスイッチを提供することができる。また、上述のような防滴型押しボタンスイッチでも、ボタンの意匠にバリエーションを持たせることができる。
【００４５】
次に、図８を用いて、本発明によるエレベータの防滴型押しボタンスイッチの更に他の変形例について説明する。図８（ａ）は、本変形例に係るエレベータの防滴型押しボタンスイッチの正面図であり、図８（ｂ）は、図８（ａ）に示す防滴型押しボタンスイッチのＧ−Ｇライン矢視による側断面図である。
【００４６】
図８に示す防滴型押しボタンスイッチは、図２および図３に示す防滴型押しボタンスイッチと比較して、遮光材からなるボタンケース１１の裏側に差動変圧器２２を追加的に設けた点が異なるのみであり、他は実質的に図２および図３に示す防滴型押しボタンスイッチと同様の構成となっている。
【００４７】
次に、このような構成からなる防滴型押しボタンスイッチの動作について説明する。
乗客がフェースプレート１に組み込まれたボタン９を押したとき、遮光材からなる裏面部材１０が奥側（図８（ｂ）の右側）にストロークすることにより、ボタンケース１１の上部の一部に設けられた窓部材１２に外部からの光が到達する。このことにより受光センサ８が光を感知して当該受光センサ８からＯＮ信号が発せられ、呼び登録が行われる。または、乗客がボタン９を押したときに、バネ４に加わった荷重がボタンケース２１を奥側（図８（ｂ）右方）に押し、差動変圧器２２にかかる電圧が変化する。そして、差動変圧器２２が電圧の変化を検知したときに、呼び登録が行われる。なお、この変形例に係る防滴型押しボタンスイッチにおいて、窓部材１２および受光センサ８は、ボタンケース１１の下部または左右に配置してもよい。また、ボタンケース１１の一部に窓部材１２を複数配置し、各窓部材１２に対応するよう受光センサ８を複数配置してもよい。また、バネ４はボタンケース１１の中央に配置してもよい。
【００４８】
図８に示すような防滴型押しボタンスイッチでは、受光センサ８に加えて差動変圧器２２を配置することにより、図２に示すような防滴型押しボタンスイッチと比較して、外部からの光を感知しにくい場所では、差動変圧器２２で感知を行うことができるため、更なる品質向上を図ったエレベータの防滴型押しボタンスイッチを提供することができる。また、上述のような防滴型押しボタンスイッチでも、ボタンの意匠にバリエーションを持たせることができる。
【００４９】
本発明によるエレベータの防滴型押しボタンスイッチの更に他の変形例について説明すると、本発明の防滴型押しボタンスイッチとしては、図１乃至８にそれぞれ示すような各防滴型押しボタンスイッチの特徴を組み合わせて形成するようにしてもよい。また、上記の防滴型押しボタンスイッチは、エレベータの各フロアにおける乗場側の表示装置用品に対して対策を実施しているが、かご室内の表示装置用品に、上述のような各種の防滴型押しボタンスイッチを適用してもよい。この場合、例えば手が濡れた状態でかご室内の表示装置用品に設けられたボタンを押す場合にも問題はない。
【図面の簡単な説明】
【００５０】
【図１】（ａ）は、本実施の形態によるエレベータの防滴型押しボタンスイッチの正面図であり、（ｂ）は、（ａ）に示す防滴型押しボタンスイッチのＡ−Ａライン矢視による側断面図である。
【図２】（ａ）は、本実施の形態によるエレベータの他の防滴型押しボタンスイッチの正面図であり、（ｂ）は、（ａ）に示す防滴型押しボタンスイッチのＢ−Ｂライン矢視による側断面図である。
【図３】図２（ｂ）に示す状態からボタンを押したときの状態を示す防滴型押しボタンスイッチの側断面図である。
【図４】（ａ）は、本実施の形態によるエレベータの更に他の防滴型押しボタンスイッチの正面図であり、（ｂ）は、（ａ）に示す防滴型押しボタンスイッチのＣ−Ｃライン矢視による側断面図である。
【図５】（ａ）は、本実施の形態によるエレベータの更に他の防滴型押しボタンスイッチの正面図であり、（ｂ）は、（ａ）に示す防滴型押しボタンスイッチのＤ−Ｄライン矢視による側断面図である。
【図６】（ａ）は、本実施の形態によるエレベータの更に他の防滴型押しボタンスイッチの正面図であり、（ｂ）は、（ａ）に示す防滴型押しボタンスイッチのＥ−Ｅライン矢視による側断面図である。
【図７】（ａ）は、本実施の形態によるエレベータの更に他の防滴型押しボタンスイッチの正面図であり、（ｂ）は、（ａ）に示す防滴型押しボタンスイッチのＦ−Ｆライン矢視による側断面図である。
【図８】（ａ）は、本実施の形態によるエレベータの更に他の防滴型押しボタンスイッチの正面図であり、（ｂ）は、（ａ）に示す防滴型押しボタンスイッチのＧ−Ｇライン矢視による側断面図である。
【図９】（ａ）は、従来のエレベータの防滴型押しボタンスイッチの正面図であり、図（ｂ）は、（ａ）に示す防滴型押しボタンスイッチの側面図である。
【符号の説明】
【００５１】
１    フェースプレート
２    ボタン
３    突起
４    バネ
５    ガイド
６    ボタンケース
７    発光部
８    受光センサ
９    ボタン
１０  裏面部材
１１  ボタンケース
１２  窓部材
１３  光の経路
１４  突起
１５  ボタンケース
１６  復帰式スイッチ
１７  表示装置
１８  遮光塗料
１９  ボタンケース
１９ａ  切り欠き
２０  ＬＥＤ基板
２１  ボタンケース
２１ａ  切り欠き
２２  差動変圧器
２３  差動変圧器
２３ａ  切り欠き
２４  押しボタンスイッチ
２５  プレート
【図１】
2009220929.tif 000003
【図２】
2009220929.tif 000004
【図３】
2009220929.tif 000005
【図４】
2009220929.tif 000006
【図５】
2009220929.tif 000007
【図６】
2009220929.tif 000008
【図７】
2009220929.tif 000009
【図８】
2009220929.tif 000010
【図９】
2009220929.tif 000011